(57)【要約】【課題】自動車の軽量化ニーズに対応して、トリム部が安定し、車体のフランジ部の保持力の大きな自動車用ウエザストリップを提供する。【解決手段】ウエザストリップ１０は、トリム部２０と中空シール部４０とを有する。トリム部２０は、車外側側壁２１、底壁２３と車内側側壁２２とで断面略コ字形をなす。車外側側壁２１又は車内側側壁２２の一方の内面に、トリム部２０の開口側に位置する第１フランジ保持リップ２４を形成し、同じ一方の内面に、底壁側に位置する第２フランジ保持リップ２５を形成するとともに、第１フランジ保持リップ２４と第２フランジ保持リップ２５の間に、車外側側壁２１又は車内側側壁２２の他方の内面から延設する対向フランジ保持リップ２６、２７を形成した。【選択図】図１
2010254270.tif 000002
【特許請求の範囲】
【請求項１】
車体開口部周縁のフランジに取付けられる断面略コ字形のソリッド材又は微発泡材で形成されたトリム部と、該トリム部に一体的に形成されて車体開口部と対向する相手部材に当接して上記車体開口部周縁と相手部材との間をシールするスポンジ材で形成された中空シール部とを備え、
上記トリム部は、車外側側壁、底壁と車内側側壁とで断面略コ字形をなし、上記断面略コ字形の内部には上記車外側側壁と車内側側壁の内面からそれぞれフランジ保持リップを延設して形成されたウエザストリップにおいて、
上記車外側側壁又は車内側側壁の一方の内面に、上記トリム部の開口側に位置する第１フランジ保持リップを形成し、同じ一方の内面に、底壁側に位置する第２フランジ保持リップを形成するとともに、上記第１フランジ保持リップと上記第２フランジ保持リップの間に、上記車外側側壁又は車内側側壁の他方の内面から延設する対向フランジ保持リップを形成したことを特徴とするウエザストリップ。
【請求項２】
上記対向フランジ保持リップは複数本形成され、上記第１フランジ保持リップの先端及び第２フランジ保持リップの先端と、上記対向フランジ保持リップの先端は、相互に他方の先端よりも、相手側の側壁方向に長く延設された請求項１に記載されたウエザストリップ。
【請求項３】
車体開口部周縁のフランジに取付けられる断面略コ字形のソリッド材又は微発泡材で形成されたトリム部と、該トリム部に一体的に形成されて車体開口部と対向する相手部材に当接して上記車体開口部周縁と相手部材との間をシールするスポンジ材で形成された中空シール部とを備え、
上記トリム部は、車外側側壁、底壁と車内側側壁とで断面略コ字形をなし、上記断面略コ字形の内部には上記車外側側壁と車内側側壁の内面からそれぞれフランジ保持リップを延設して形成されたウエザストリップにおいて、
上記車外側側壁又は車内側側壁の一方の内面に、上記トリム部の開口側に位置する第１フランジ保持リップを形成し、同じ一方の内面に、底壁側に位置する第２フランジ保持リップを形成するとともに、上記第１フランジ保持リップと上記第２フランジ保持リップの間に、上記車外側側壁又は車内側側壁の他方の内面から延設する対向フランジ保持リップを形成し、
上記第１フランジ保持リップと、上記第１フランジ保持リップと対向する対向フランジ保持リップの先端は相互に近接して形成され、上記第２フランジ保持リップは、上記第１フランジ保持リップよりも上記車外側側壁又は車内側側壁に対して角度が小さく形成されるとともに、上記第２フランジ保持リップと対向する対向フランジ保持リップは、上記第１フランジ保持リップと対向する対向フランジ保持リップよりも上記車外側側壁又は車内側側壁に対して角度が小さく形成されたことを特徴とするウエザストリップ。
【請求項４】
上記第２フランジ保持リップの先端と、上記第２フランジ保持リップと対向する対向フランジ保持リップの先端は、相互に他方の先端よりも、相手側の側壁方向に長く延設された請求項３に記載されたウエザストリップ。
【請求項５】
上記第２フランジ保持リップは、上記フランジに取付けたときに、上記底壁の内面に上記第２フランジ保持リップの先端が当接しないで底壁に近接して形成され、上記第１フランジ保持リップは、上記車外側側壁又は車内側側壁の内面の最も先端に形成された請求項１乃至請求項４のいずれか１項に記載されたウエザストリップ。
【請求項６】
上記第１フランジ保持リップ、第２フランジ保持リップ及び対向フランジ保持リップのそれぞれの先端は、上記トリム部の内部の底壁側方向に屈曲して形成された請求項１乃至請求項５のいずれか１項に記載のウエザストリップ。
【請求項７】
上記車外側側壁又は車内側側壁には、上記底壁の肉厚分よりも各側壁の先端側でかつ各側壁の中央よりも上記底壁側の位置に屈曲部が形成され、該屈曲部から先端側が反対側の側壁方向に近接するように形成された請求項１乃至請求項６のいずれか１項に記載のウエザストリップ。
【請求項８】
上記第１フランジ保持リップ、第２フランジ保持リップ及び対向フランジ保持リップは、側壁と同じゴム又は熱可塑性エラストマーのソリッド材又は微発泡材で形成され、その硬度は、上記車外側側壁、底壁及び車内側側壁の硬度よりも低い材料で形成された請求項１乃至請求項７のいずれか１項に記載のウエザストリップ。
【請求項９】
上記トリム部は、国際ゴム硬度（ＩＲＨＤ）８０度〜９５度相当の硬度を有するソリッド材又は微発泡材で形成され、上記フランジ保持リップは、国際ゴム硬度（ＩＲＨＤ）５０度〜７５度相当の硬度を有するソリッド材又は微発泡材で形成された請求項１乃至請求項８のいずれか１項に記載されたウエザストリップ。
【発明の詳細な説明】
【技術分野】
【０００１】
本発明は、自動車の車体開口部周縁のフランジに装着されるウエザストリップに関するものである。
【背景技術】
【０００２】
自動車にはドア開口、トランクルーム開口等の開口部があり、それぞれの車体開口部周縁のフランジにウエザストリップが装着され、車体開口部周縁とドアやトランクリッド等の相手部材との間をシールしている。
これらのウエザストリップを車体開口部周縁に装着する場合は、ウエザストリップの断面略コ字形のトリム部に車体開口部周縁のフランジを挿入させて装着している。
【０００３】
例えば、図６に示すように、自動車のリヤトランクの開口部のシールは、リヤトランクのリッドの周囲に対向する、車体開口部周縁６に設けられたフランジ７に、ウエザストリップ１１０を装着することにより行われる。
すなわち、ウエザストリップ１１０は、フランジ７に取付けられるトリム部１２０とトランクリッド２の裏面に当接してその間をシールする中空状の中空シール部１４０とを有し、この中空シール部１４０がトランクリッド２の裏面と当接することにより開口部がシールされる。
【０００４】
トリム部１２０は、車外側側壁１２１、車内側側壁１２２、及び底壁１２３で、断面略コ字形をなして形成され、フランジ７の保持を強化するために、トリム部１２０の内部には、板金のインサート１２９が埋設されている。
また、トリム部１２０の断面略コ字形の内部には、車外側側壁１２１と車内側側壁１２２の内面から車外側フランジ保持リップ１２４、１２５と車内側フランジ保持リップ１２６、１２７がそれぞれ断面ハ字形に、トリム部１２０の内部の底壁１２３側に向かって延設されている。
【０００５】
ウエザストリップ１１０をフランジ７に装着するには、リヤトランクの開口の周囲に設けられたフランジ７に対して、トリム部１２０を上方からその断面略コ字形の内部にフランジ７を挿入させるようにして装着する。トリム部１２０の内面から、車外側フランジ保持リップ１２４、１２５と車内側フランジ保持リップ１２６、１２７が設けられ、インサート１２９により保持力を強化されて、それらのフランジ保持リップ１２４、１２５、１２６、１２７によりフランジ７を挟むように保持して、ウエザストリップ１１０の姿勢を保持するとともに、フランジ７から抜けることを防止している。このとき、トリム部１２０の上部に一体的に設けられている中空シール部１４０は、トランクリッド２の外周部の裏面に当接して、車体開口部周縁６とトランクリッド２との間をシールしている。
【０００６】
しかしながら、インサート１２９は、トリム部１２０の保持力を強化するため、金属で形成されている場合が多く、ウエザストリップ１１０の全体の重量が増加して、自動車の軽量化ニーズに対して好ましくなかった。
【０００７】
このため、図７に示すように、中空シール部２４０を有するウエザストリップ２１０のトリム部２２０の側壁等の内部に金属製のインサートを埋設せずに、車外側側壁２２１、車内側側壁２２２及び底壁２２３をそれぞれの肉厚を略一定として硬質ゴム材又は高硬度樹脂材で形成するものがある（例えば、特許文献１及び特許文献２参照。）。なお、車外側側壁２２１等の肉厚を略一定とするのは、押出成形時の形状安定性をよくするためである。
【０００８】
しかしながら、この場合には、金属製のインサートを埋設しないため、ウエザストリップ２１０の軽量化の目的は果たすことができるが、トリム部２２０がフランジ７を把持する力が減少し、フランジ７からトリム部２２０が外れ易くなる場合があった。また、車体開口部のコーナー部にウエザストリップ２１０を装着する場合には、ウエザストリップ２１０が曲げられるため、保持リップ２２６等が内側（それぞれの側壁側）に変形して抜けやすくなったり、水きりのためのボディーシールリップ２２８と車内側保持リップ２２６、２２７とのバランスによりウエザストリップ２１０（トリム部２２０）が倒れたりする場合があった。
【０００９】
そこで、図８に示すように、中空シール部３４０とトリム部３２０を有するウエザストリップ３１０において、トリム部３２０の車外側側壁３２１の内面に、断面が台形状のスポンジ塊３２４を形成し、車内側側壁３２２の内面に車内側保持リップ３２６、３２７を設けてフランジ７を保持するものがある（例えば、特許文献３参照。）。しかしこの場合は、断面略コ字形のトリム部３２０を取付け時の形状で成形しようとすると、スポンジ塊３２４と車内側保持リップ３２６、３２７との間に隙間が必要であり、フランジ７に対する保持力（挿入力、抜け力）が低下し、また、シール性も低下する。
【先行技術文献】
【特許文献】
【００１０】
【特許文献１】特許第３７５２６２７号公報
【特許文献２】特開２００８−２３０２５８号公報
【特許文献３】特開２００１−３４１５８８号公報
【発明の概要】
【発明が解決しようとする課題】
【００１１】
そこで、本発明は、自動車の軽量化ニーズに対応して、軽量化ができ、また、トリム部の形状が安定し、車体開口部周縁のフランジへの保持力の大きな自動車用ウエザストリップを提供することを目的とする。
【課題を解決するための手段】
【００１２】
上記課題を解決するために請求項１の本発明は、車体開口部周縁のフランジに取付けられる断面略コ字形のソリッド材又は微発泡材で形成されたトリム部と、トリム部に一体的に形成されて車体開口部と対向する相手部材に当接して車体開口部周縁と相手部材との間をシールするスポンジ材で形成された中空シール部とを備え、
トリム部は、車外側側壁、底壁と車内側側壁とで断面略コ字形をなし、断面略コ字形の内部には車外側側壁と車内側側壁の内面からそれぞれフランジ保持リップを延設して形成されたウエザストリップにおいて、
車外側側壁又は車内側側壁の一方の内面に、トリム部の開口側に位置する第１フランジ保持リップを形成し、同じ一方の内面に、底壁側に位置する第２フランジ保持リップを形成するとともに、第１フランジ保持リップと第２フランジ保持リップの間に、車外側側壁又は車内側側壁の他方の内面から延設する対向フランジ保持リップを形成したことを特徴とするウエザストリップである。
【００１３】
請求項１の本発明では、車外側側壁又は車内側側壁の一方の内面に、トリム部の開口側に位置する第１フランジ保持リップを形成し、同じ一方の内面に、底壁側に位置する第２フランジ保持リップを形成するとともに、第１フランジ保持リップと第２フランジ保持リップの間に、車外側側壁又は車内側側壁の他方の内面から延設する対向フランジ保持リップを形成した。
【００１４】
このため、第１フランジ保持リップと第２フランジ保持リップとの間隔が長くなり、フランジを幅広く保持して、対向フランジ保持リップをフランジに押圧して、安定してフランジを保持することができる。また、トリム部が対向フランジ保持リップを支点にフランジに対して倒れるときに、第１フランジ保持リップ又は第２フランジ保持リップを大きく撓ませることとなるため、トリム部はフランジに対して倒れ難くなる。従って、トリム部の回動に対して、第１フランジ保持リップ又は第２フランジ保持リップがフランジに対して突っ張ることができ、ウエザストリップが倒れることを防止することができる。
【００１５】
請求項２の本発明は、対向フランジ保持リップは複数本形成され、第１フランジ保持リップの先端及び第２フランジ保持リップの先端と、対向フランジ保持リップの先端は、相互に他方の先端よりも、相手側の側壁方向に長く延設されたウエザストリップである。
【００１６】
請求項２の本発明では、対向フランジ保持リップは複数本形成されたため、安定してフランジを保持することができる。
第１フランジ保持リップの先端及び第２フランジ保持リップの先端と、対向フランジ保持リップの先端は、相互に他方の先端よりも、相手側の側壁方向に長く延設された。このため、フランジ保持リップの先端は接触せずに上下方向で所定の間隔をもって重なり合って、トリム部内にフランジを挿入したときに、フランジに当接するそれぞれのフランジ保持リップの先端の撓み量が多くなり、フランジを保持する力が大きくなるとともに、フランジがトリム部から抜け出ることを防止できる。
【００１７】
請求項３の本発明は、車体開口部周縁のフランジに取付けられる断面略コ字形のソリッド材又は微発泡材で形成されたトリム部と、トリム部に一体的に形成されて車体開口部と対向する相手部材に当接して車体開口部周縁と相手部材との間をシールするスポンジ材で形成された中空シール部とを備え、
トリム部は、車外側側壁、底壁と車内側側壁とで断面略コ字形をなし、断面略コ字形の内部には車外側側壁と車内側側壁の内面からそれぞれフランジ保持リップを延設して形成されたウエザストリップにおいて、
車外側側壁又は車内側側壁の一方の内面に、トリム部の開口側に位置する第１フランジ保持リップを形成し、同じ一方の内面に、底壁側に位置する第２フランジ保持リップを形成するとともに、第１フランジ保持リップと第２フランジ保持リップの間に、車外側側壁又は車内側側壁の他方の内面から延設する対向フランジ保持リップを形成し、
第１フランジ保持リップと、第１フランジ保持リップと対向する対向フランジ保持リップの先端は相互に近接して形成され、第２フランジ保持リップは、第１フランジ保持リップよりも車外側側壁又は車内側側壁に対して角度が小さく形成されるとともに、第２フランジ保持リップと対向する対向フランジ保持リップは、第１フランジ保持リップと対向する対向フランジ保持リップよりも車外側側壁又は車内側側壁に対して角度が小さく形成されたことを特徴とするウエザストリップである。
【００１８】
請求項３の本発明では、第１フランジ保持リップと、第１フランジ保持リップと対向する対向フランジ保持リップの先端は相互に近接して形成されたため、トリム部にフランジを挿入するときに、第１フランジ保持リップの先端と対向フランジ保持リップの先端との間にフランジの先端を挿入しやすくなる。また、フランジの挿入後には、フランジの付根部分を両側からほぼ同じ位置で挟持できるので、トリム部が倒れることがない。
【００１９】
第２フランジ保持リップは、第１フランジ保持リップよりも車外側側壁又は車内側側壁に対して角度が小さく形成されるとともに、第２フランジ保持リップと対向する対向フランジ保持リップは、第１フランジ保持リップと対向する対向フランジ保持リップよりも車外側側壁又は車内側側壁に対して角度が小さく形成された。このため、トリム部からフランジが抜け出るときに、第２フランジ保持リップの先端と第２フランジ保持リップと対向する対向フランジ保持リップの先端がフランジの側面に対して密接して、反転する量が多くなり、フランジの抜け力を大きくすることができる。
【００２０】
請求項４の本発明は、第２フランジ保持リップの先端と、第２フランジ保持リップと対向する対向フランジ保持リップの先端は、相互に他方の先端よりも、相手側の側壁方向に長く延設されたウエザストリップである。
【００２１】
請求項４の本発明では、第２フランジ保持リップの先端と、第２フランジ保持リップと対向する対向フランジ保持リップの先端は、相互に他方の先端よりも、相手側の側壁方向に長く延設されたため、トリム部からフランジが抜け出るときに、第２フランジ保持リップの先端と第２フランジ保持リップと対向する対向フランジ保持リップの先端がフランジの側面に対して密接する面積が多くなり、フランジを保持する力も大きく、フランジが安定するとともに、さらにフランジが抜けるときに、リップの先端が反転する量が多くなり、フランジの抜け力を大きくすることができる。
【００２２】
請求項５の本発明は、第２フランジ保持リップは、フランジに取付けたときに、底壁の内面に第２フランジ保持リップの先端が当接しないで底壁に近接して形成され、第１フランジ保持リップは、車外側側壁又は車内側側壁の内面の最も先端に形成されたウエザストリップである。
【００２３】
請求項５の本発明では、第２フランジ保持リップは、フランジに取付けたときに、底壁の内面に第２フランジ保持リップの先端が当接しないで底壁に近接して形成され、第１フランジ保持リップは、車外側側壁又は車内側側壁の内面の最も先端に形成されている。このため、トリム部をフランジに取付けたときに、フランジをトリム部の奥まで挿入することができ、第２フランジ保持リップの先端がフランジを確実に保持することができる。第１フランジ保持リップは、車外側側壁又は車内側側壁の内面の最も先端に形成されたため、第１フランジ保持リップと第２フランジ保持リップでフランジを保持する幅が広くなり、フランジを安定して保持することができる。
【００２４】
請求項６の本発明は、第１フランジ保持リップ、第２フランジ保持リップ及び対向フランジ保持リップのそれぞれの先端は、トリム部の内部の底壁側方向に屈曲して形成されたウエザストリップである。
【００２５】
請求項６の本発明では、それぞれのフランジ保持リップの先端は、トリム部の内部の底壁側方向に屈曲して形成されたため、フランジがトリム部内に挿入されたときに、トリム部の内部の底壁側方向に屈曲して形成されたそれぞれのフランジ保持リップの先端が、フランジの側面に面接触的に当接してフランジを保持することができ、フランジを安定して保持するとともに、フランジがトリム部から抜け難くなっている。
【００２６】
請求項７の本発明は、車外側側壁又は車内側側壁には、底壁の肉厚分よりも各側壁の先端側でかつ各側壁の中央よりも底壁側の位置に屈曲部が形成され、屈曲部から先端側が反対側の側壁方向に近接するように形成されたウエザストリップである。
【００２７】
請求項７の本発明では、車外側側壁又は車内側側壁には、底壁の肉厚分よりも各側壁の先端側でかつ各側壁の中央よりも底壁側の位置に屈曲部が形成され、屈曲部から先端側が、反対側の側壁方向に近接するように形成されたため、屈曲部から先端側が反対側の側壁方向に近接するように形成された側壁とフランジ保持リップがフランジを保持する力が大きくなり、コーナー部等でトリム部がフランジから抜けることを防止できる。
【００２８】
請求項８の本発明は、第１フランジ保持リップ、第２フランジ保持リップ及び対向フランジ保持リップは、側壁と同じゴム又は熱可塑性エラストマーのソリッド材又は微発泡材で形成され、その硬度は、車外側側壁、底壁及び車内側側壁の硬度よりも低い材料で形成されたウエザストリップである。
【００２９】
請求項８の本発明では、それぞれのフランジ保持リップは、側壁と同じゴム又は熱可塑性エラストマーのソリッド材又は微発泡材で形成され、その硬度は、車外側側壁、底壁及び車内側側壁の硬度よりも低い材料で形成された。このため、車外側側壁、底壁及び車内側側壁で強固にフランジを挟持するとともに、それぞれのフランジ保持リップが柔軟にフランジに当接して、フランジの表面の凹凸等があっても、フランジを保持し、シールすることができる。
【００３０】
請求項９の本発明は、トリム部は、ＩＲＨＤ（国際ゴム硬度）８０度〜９５度相当の硬度を有するソリッド材又は微発泡材で形成され、フランジ保持リップは、ＩＲＨＤ（国際ゴム硬度）５０度〜７５度相当の硬度を有するソリッド材又は微発泡材で形成されたウエザストリップである。
【００３１】
請求項９の本発明では、トリム部は、ＩＲＨＤ（国際ゴム硬度）８０度〜９５度相当の硬度を有するソリッド材又は微発泡材で形成されたため、トリム部にインサートが埋設されていなくても、トリム部の開口部が開くことがなく、十分なフランジ保持力を有している。
フランジ保持リップは、ＩＲＨＤ（国際ゴム硬度）５０度〜７５度相当の硬度を有するソリッド材又は微発泡材で形成されているため、フランジを挿入する力が大きくなく、充分なフランジ保持力を有することができる。
【発明の効果】
【００３２】
本願発明は、第１フランジ保持リップと第２フランジ保持リップとの間隔が長くなり、その間に形成された対向フランジ保持リップとで安定してフランジを保持することができる。また、トリム部の回動に対して、第１フランジ保持リップと第２フランジ保持リップがフランジに対して突っ張ることができ、ウエザストリップが倒れることを防止することができる。
【図面の簡単な説明】
【００３３】
【図１】本発明の第１の実施の形態を示すもので、ウエザストリップを車体に装着したときの断面図であり、図５のＡ−Ａ線に沿った断面図である。
【図２】本発明の第２の実施の形態を示すもので、車体に装着する前のウエザストリップの断面図であり、図５のＡ−Ａ線に沿った断面図である。
【図３】本発明の第３の実施の形態を示すもので、図５のＡ−Ａ線に沿った位置での車体に装着する前のウエザストリップの断面図である。
【図４】本発明の第４の実施の形態を示すもので、図５のＡ−Ａ線に沿った位置での車体に装着する前のウエザストリップの断面図である。
【図５】自動車の斜め上方から見た概略斜視図である
【図６】従来のウエザストリップの断面図である。
【図７】従来の他のウエザストリップの断面図である。
【図８】従来の他のウエザストリップの断面図である。
【発明を実施するための形態】
【００３４】
本発明の実施の形態を図１〜図５に基づき説明する。
図１は、本発明の第１の実施の形態を示すものであり、ウエザストリップ１０の断面図である。図２、図３、図４は、同様に本発明のそれぞれの第２〜４の実施の形態を示すものである。
本発明の第１の実施の形態をリヤトランクに装着されるウエザストリップ１０を例にとり説明するが、本発明は、バックドアウエザストリップ、自動車のドア開口部、ルーフ開口部、エンジンルーム周りのボンネットシール等の広く自動車の開口部をシールするウエザストリップに使用することができる。
【００３５】
本発明の第１の実施の形態のウエザストリップ１０は、図１に示すように、フランジ７に取付けるトリム部２０とトランクリッド２に当接してシールする中空シール部４０から形成される。
トリム部２０は、車外側側壁２１と、車内側側壁２２と、底壁２３からなる断面略コ字形をなしている。車外側側壁２１、車内側側壁２２と、底壁２３の壁の内部には、金属板等の骨片からなるインサートは埋設されていなく、ゴム又は熱可塑性エラストマーの硬質材（ＩＲＨＤ（国際ゴム硬度）８０度〜９５度相当の硬度を有する材料でソリッド材又は微発泡材）で形成されている。
【００３６】
車外側側壁２１の内面に、トリム部２０の断面略コ字形の開口側に位置する第１車外側フランジ保持リップ２４を形成し、トリム部２０の内部の底壁側に位置する第２車外側フランジ保持リップ２５を形成する。
車内側側壁２２の内面には、第１車外側フランジ保持リップ２４と第２車外側フランジ保持リップ２５に対向する２本の対向フランジ保持リップである、第１車内側フランジ保持リップ２６を開口側に形成し、第２車内側フランジ保持リップ２７を底壁２３側に形成した。
第１車外側フランジ保持リップ２４の先端と第２車外側フランジ保持リップ２５の先端の間に、第１車内側フランジ保持リップ２６の先端と第２車内側フランジ保持リップ２７の先端が位置するように形成した。
【００３７】
このため、第１車外側フランジ保持リップ２４と第２車外側フランジ保持リップ２５との間隔が長くなり、その間に形成された対向する第１車内側フランジ保持リップ２６と第２車内側フランジ保持リップ２７とで、フランジ７を挟持して、安定してフランジ７を保持することができる。
【００３８】
また、トリム部２０が倒れるときは、第１車内側フランジ保持リップ２６と第２車内側フランジ保持リップ２７を支点にフランジ７に対して倒れるが、このときには、第１車外側フランジ保持リップ２４又は第２車外側フランジ保持リップ２５を大きく撓ませる必要がある。このため、トリム部２０はフランジ７に対して倒れ難くなる。即ち、トリム部２０の回動において、第１車外側フランジ保持リップ２４又は第２車外側フランジ保持リップ２５がフランジ７に対して突っ張ることができ、ウエザストリップ１０が倒れることを防止することができる。このため、中空シール部４０の位置が安定し、中空シール部４０が確実にトランクリッド２に当接してシールすることができる。
【００３９】
なお、上述とは逆に、第１車内側フランジ保持リップ２６を車内側側壁２２の開口側に形成し、第２車内側フランジ保持リップ２７をトリム部２０の底壁２３側に形成し、第１車内側フランジ保持リップ２６と第２車内側フランジ保持リップ２７に対向する対向フランジ保持リップである第１車外側フランジ保持リップ２４と第２車外側フランジ保持リップ２５をその間に形成してもよい。この場合は、第１車内側フランジ保持リップ２６の先端と第２車内側フランジ保持リップ２７の先端の間に、第１車外側フランジ保持リップ２４の先端と第２車外側フランジ保持リップ２５の先端が位置するようになる。
【００４０】
第１車内側フランジ保持リップ２６の先端と第２車内側フランジ保持リップ２７の先端の間に、第１車外側フランジ保持リップ２４の先端と第２車外側フランジ保持リップ２５の先端が位置するように形成した場合には、トリム部２０の回動に対して、第１車内側フランジ保持リップ２６又は第２車内側フランジ保持リップ２７がフランジ７に対して突っ張ることができ、ウエザストリップ１０が倒れることを防止することができる。このため、中空シール部４０が確実にトランクリッド２に当接してシールすることができる。
【００４１】
車外側側壁２１の内面において、トリム部２０の内部の底壁２３側に形成された第２車外側フランジ保持リップ２５は、フランジ７に取付けたときに、底壁２３の内面に第２車外側フランジ保持リップ２５の先端が当接しない最も底壁２３に近接して形成することが好ましい。この場合は、トリム部２０をフランジ７に取付けたときに、フランジ７の先端をトリム部２０の奥まで挿入することができ、第２車外側フランジ保持リップ２５と第２車内側フランジ保持リップ２７の先端がフランジ７を確実に保持することができる。
【００４２】
第１車外側フランジ保持リップ２４は、車外側側壁２１の内面の最も開口側の先端に形成することが好ましい。この場合は、第２車外側フランジ保持リップ２５と第１車外側フランジ保持リップ２４との間隔が広くなり、フランジ７を保持する幅が広くなり、フランジ７を安定して保持することができる。
【００４３】
第１車外側フランジ保持リップ２４、第２車外側フランジ保持リップ２５、第１車内側フランジ保持リップ２６及び第２車内側フランジ保持リップ２７のそれぞれの先端は、トリム部２０の内部の底壁側方向に屈曲して形成することが好ましい。この場合には、フランジ７がトリム部２０内に挿入されたときに、トリム部２０の内部の底壁側方向に屈曲して形成されたそれぞれのフランジ保持リップの先端が、フランジ７の側面に面接触的に当接してフランジ７を保持することができ、フランジ７を安定して保持するとともに、フランジ７がトリム部２０から抜け難くすることができる。
【００４４】
第１車外側フランジ保持リップ２４の先端と第２車外側フランジ保持リップ２５の先端と、第１車内側フランジ保持リップ２６の先端と第２車内側フランジ保持リップ２７の先端は、相互に他方の先端よりも、相手側の側壁方向に長く延設されている。このため、フランジ７の挿入前においては、それぞれの先端は、相互に接触しないが、上下方向に所定の間隔を持って重なり合ってトリム内に位置している。
【００４５】
トリム部２０内にフランジ７を挿入すると、フランジ７の先端は、それぞれのフランジ保持リップの先端を左右に分けて進入し、底壁２３又は底壁２３の内面に設けたコーキング部材に当接する。そうすると、それぞれのフランジ保持リップの先端の撓み量が多くなり、フランジ７を保持する力が大きくなるとともに、トリム部２０がフランジ７から抜け出ることを防止できる。
【００４６】
車外側フランジ保持リップ２４、２５と車内側フランジ保持リップ２６、２７は、上記した車外側側壁２１等と同種のＥＰＤＭゴム又は熱可塑性エラストマーの材料で形成され、その硬度は、車外側側壁２１、底壁２３と車内側側壁２２の硬度よりも低く形成されることが好ましい。この場合は、車外側側壁２１、底壁２３と車内側側壁２２で強固にフランジ７を挟持するとともに、車外側フランジ保持リップ２４、２５と車内側フランジ保持リップ２６、２７で柔軟にフランジ７に当接して、フランジ７の表面の凹凸等があっても、フランジ７を確実に保持し、シールすることができる。
【００４７】
車外側フランジ保持リップ２４、２５と車内側フランジ保持リップ２６、２７は、上記と同様に車外側側壁２１等と同種の材料で形成され、その硬度は、ＩＲＨＤ（国際ゴム硬度）７０度相当材料にすることが好ましい。なお、ＩＲＨＤ（国際ゴム硬度）６５度以上７５度未満の範囲で製造することもできる。この場合は、フランジ７の表面の凹凸等があっても、柔軟にフランジ７に当接することができる充分な柔軟性を有し、フランジ７を保持することができる十分な剛性を有することができる。
【００４８】
車外側側壁２１と底壁２３は、コーナー部で連結され、コーナー部の外面である角部２１ｂは、車外側側壁２１と底壁２３のなす角度が、９０度〜９５度の角度をなすように形成することが好ましい。また、車内側側壁２２と底壁２３も同様に、コーナー部で連結され、コーナー部の外面である角部２２ｂは、車内側側壁２２と底壁２３のなす角度が、９０度〜９５度の角度をなすように形成することが好ましい。なお、本実施の形態での角部２１ｂ、２２ｂの角度は９５度である。この場合は、それぞれのコーナー部の角度が直角又は直角に近い鈍角で形成され、車外側側壁２１と車内側側壁２２のコーナー部の剛性が向上し、トリム部２０の後述するフランジ保持リップがフランジ７の先端を保持することが容易である。
【００４９】
底壁２３と車外側側壁２１のコーナー部の外面の角部２１ｂ及び底壁２３と車内側側壁２２のコーナー部の外面の角部２２ｂでは、曲率半径が０．５ｍｍ程度で形成することが好ましい。この場合は、両コーナー部の剛性が向上し、車外側側壁２１と車内側側壁２２がコーナー部を中心にして開くことがなく、硬質材で形成された車外側側壁２１と車内側側壁２２がフランジ７を挟持する力が大きくなり、インサートを埋設しなくても、トリム部２０がフランジ７から外れることがない。
【００５０】
本願発明の実施の形態のウエザストリップ１０において、フランジ７への挿入荷重は１２Ｎ／１００ｍｍ程度で、フランジ７からの抜け荷重は５０Ｎ／１００ｍｍ程度である。従来のインサートが埋設されたウエザストリップの挿入荷重は１０Ｎ／１００ｍｍ程度、抜け荷重は５５Ｎ／１００ｍｍ程度である。このように、本願発明のウエザストリップ１０は、従来のウエザストリップと比べて、抜け荷重、挿入荷重ともには同等であり、挿入荷重は少なく、フランジ７への挿入性がよく、保持力において充分である。
【００５１】
本実施の形態では、車外側側壁２１、底壁２３と車内側側壁２２は、ゴム又は熱可塑性エラストマーでＩＲＨＤ（国際ゴム硬度）９０度相当材料の硬質材で形成されている。このため、トリム部２０全体の剛性が高くなり、インサートを埋設しなくても車外側側壁２１と車内側側壁２２とでフランジ７を挟持する力が大きい。また、インサートなしで、ゴム又は熱可塑性エラストマーの硬質材を押出成形するため、押出成形が容易で、生産性が高い。
【００５２】
ウエザストリップ１０の車外側側壁２１、底壁２３と車内側側壁２２は、ＥＰＤＭゴム又はオレフィン系熱可塑性エラストマーで形成することが好ましく、その硬度は、ＩＲＨＤ（国際ゴム硬度）７５度以上９５度以下の相当材料であるソリッド材又は微発泡材で形成することが好ましい。この場合は、フランジ７が車体に沿って屈曲していてもその屈曲に追従することができる柔軟性と、フランジ７を挟持する充分な剛性を有することができる。
【００５３】
車内側側壁２２は、底壁２３との連結部分において、底壁２３の肉厚分よりも車内側側壁２２の先端側でかつ車内側側壁２２の中央よりも底壁２３側の位置に車内側側壁屈曲部２２ｃが形成されている。このため、車内側側壁２２の先端である車内側側壁先端部２２ｄと、車外側側壁２１の先端である車外側側壁先端部２１ｄとの間隔は狭まって形成される。なお、本実施の形態では、車内側側壁２２の屈曲部２２ｃでの屈曲角度は垂直方向からトリム部２０の内側方向に約８度である。この屈曲角度は５度〜１０度の範囲で設定されるのが好ましい。
【００５４】
このため、車内側側壁先端部２２ｄと車外側側壁先端部２１ｄとが、後述する第１車内側フランジ保持リップ２６と第１車外側フランジ保持リップ２４をフランジ７側に押圧して、フランジ７を保持する力が大きくなり、コーナー部等でトリム部２０がフランジ７から抜けることを防止できる。
なお、本実施の形態では、車内側側壁２２に車内側側壁屈曲部２２ｃを形成したが、車外側側壁２１の同様の位置に車外側側壁屈曲部を形成してもよい。
【００５５】
車外側側壁２１の開口側の外面の先端付近から斜め下方に比較的に厚肉で全体として略均一の肉厚のスポンジ材からなるボディーシールリップ２８が形成されている。そのため、ボディーシールリップ２８が車体開口部周縁６に当接する時に、その先端が線接触的に当接することができ、その先端が押圧する力が大きくシール性がよい。従って、車体開口部周縁６からフランジ７を伝わってトリム部２０から車室内に雨水、埃、騒音等が浸入することを防止し、車体開口部周縁６とウエザストリップ１０との間をシールすることができる。
【００５６】
また、ボディーシールリップ２８は根元から先端まで略同一肉厚で形成されている場合は、ボディーシールリップ２８の先端が車体開口部周縁６に当接するときに、ボディーシールリップ２８の弾性が向上して、その先端が車体開口部周縁６を押圧する力が強く、シール性がよい。
ボディーシールリップ２８は、スポンジ材で形成されている。そのため、ボディーシールリップ２８の柔軟性が増加して、車体開口部周縁６の凹凸や変形に追従してシール性を確保することができる。
【００５７】
車外側側壁２１の開口側の内面の先端付近から下方にサブボディーシールリップ２９が延設されている。サブボディーシールリップ２９は、図１に示すように、直線状に形成され、ボディーシールリップ２８や第１車外側フランジ保持リップ２４よりも短く小さく形成されている。そのため、ウエザストリップ１０がフランジ７に装着されたときは、フランジ７の根元と車体開口部周縁６との連絡部の湾曲した部分に当接する。
【００５８】
サブボディーシールリップ２９は、小さく、形成されているため、フランジ７の根元の湾曲した形状に沿って密着して変形することができ、万一、ボディーシールリップ２８と車体開口部周縁６の間を通過した雨水等は、このサブボディーシールリップ２９で確実にその進入を防止するとともに、騒音等をシールすることができ、シール性をより向上することができる。
サブボディーシールリップ２９をスポンジ材で形成した場合は、柔軟性が向上して、フランジ７の根元の凹凸や変形に追従してシール性を確保することができる。
【００５９】
車内側側壁２２の車内側面の下部に、車内方向の下方に向けて湾曲してカバーシールリップ３０が形成されている。ウエザストリップ１０をフランジ７に装着した後に、カバーシールリップ３０は、車内側パネルや、車室内に設けられたガーニッシュ（図示せず）、パネル（図示せず）等の端部を覆うように配置され、ウエザストリップ１０とガーニッシュ、パネル等との間をシールするとともに、その隙間をカバーして見栄えを良好にしている。
カバーシールリップ３０をスポンジ材で形成した場合は、柔軟性が向上して、ガーニッシュ、パネル等との間の隙間の変化に追従してシール性を確保することができる。
【００６０】
トリム部２０の内部の底壁２３の内面に、図１に示すように、コーキング部材５０を取付けてもよい。この場合は、コーキング部材５０の内部にフランジ７の先端を挿入するとフランジ７の防錆とシール性を向上させることができる。
【００６１】
トリム部２０の底壁２３の外面に上方に向けて中空シール部４０が形成されている。中空シール部４０は、断面が略菱形、略楕円形または略円形の中空状に、スポンジ材で形成することができる。中空状であるため、柔軟性を有しており、トランクリッド２が閉じられたときは、中空シール部４０がリップ状と比べて異常変形することなく、確実にトランクリッド２の所定位置に当接して、シールすることができる。また、中空シール部４０の断面が略菱形または楕円形である場合は、中空シール部４０の先端がトランクリッド２に当接すると、略菱形または楕円形の中央部分の膨らんだところが撓んで屈曲して、柔軟に当接することができる。
【００６２】
また、中空シール部４０がスポンジ材で形成され場合は、シールする相手部材であるトランクリッド２に中空シール部４０が当接したときに、柔軟性が大きく、トランクリッド２の形状に応じて確実に先端が当接することができ、シール性が高い。
【００６３】
トリム部２０が、フランジ７に装着されると、上述のように、第１車外側フランジ保持リップ２４、第２車外側フランジ保持リップ２５と第１車内側フランジ保持リップ２６、第２車内側フランジ保持リップ２７により保持されて、ウエザストリップ１０はその姿勢が安定して保持される。
そうすると、トリム部２０の外面上部に一体的に形成された中空シール部４０は、トランクリッド２の裏面に確実に当接して、トランクリッド２と車体開口部周縁６との間のシールをすることができる。
【００６４】
中空シール部４０、ボディーシールリップ２８、サブボディーシールリップ２９、カバーシールリップ３０等のスポンジ材は、比重０．４のゴム発泡体で形成されている。なお、スポンジ材は、比重０．３以上０．６以下の範囲のゴム発泡体で形成することができる。この場合は、比重０．３以上０．６以下のゴム発泡体で形成されたため、ウエザストリップ１０の重量を軽減することができるとともに、弾力性と柔軟性に富み、長期間使用してもシール性を確保することができる。
【００６５】
中空シール部４０は、底壁２３の外面中央部付近から首部４１を介して形成されている。首部４１を介して中空シール部４０を形成したため、中空シール部４０の変形が自由にでき、相手部材の形状に合わせてシールすることができる。また、首部４１は、ソリッド材で形成することができる。この場合は、首部４１の剛性が高く、中空シール部４０の位置が安定して、中空シール部４０が車体開口部周縁６又は相手部材に当接するときに、当接する位置が安定し、シール性を確保できる。
【００６６】
次に、本発明の第２の実施の形態を図２に基づき説明する。
第２の実施の形態は、バックドアに使用されるウエザストリップ１０である。
第２の実施の形態は、第１の実施の形態と比べて、中空シール部４０の形状が異なり、他の部分は同じであるため、同じ部分の説明は省略し、異なる部分について説明する。
なお、第２の実施の形態では、第１の実施の形態と同様に、第１車外側フランジ保持リップ２４、第２車外側フランジ保持リップ２５と第１車内側フランジ保持リップ２６、第２車内側フランジ保持リップ２７が形成されており、フランジ７の保持力を向上させている。
【００６７】
第２の実施の形態では、中空シール部４０は、断面形状が略菱形であり、首部４１はなく、中空シール部４０のシール壁はトリム部２０の底壁２３から直接延設されている。断面形状が略菱形のため、中空シール部４０の屈曲した部分で撓むことができ、柔軟性が高く、バックドアの形状に応じて確実に当接することができる。また、中空シール部４０の底部分が直接底壁２３に連結しているため、中空シール部４０が安定する。
【００６８】
次に、本発明の第３の実施の形態を図３に基づき説明する。
第３の実施の形態は、トランクリッド２に当接してシールするウエザストリップ１０である。
第３の実施の形態は、第１の実施の形態と比べて、車外側側壁２１の内面に車外側止水リップ２４ａが形成される点が異なり、他の部分は同じであるため、同じ部分の説明は省略し、異なる部分について説明する。
【００６９】
車外側止水リップ２４ａは、車外側側壁２１の内面で、第１車外側フランジ保持リップ２４と第２車外側フランジ保持リップ２５との間に車内側側壁２２の方向に延設するように形成される。
フランジ７をトリム部２０内に挿入すると、フランジ７の車外側側面に車外側止水リップ２４ａが当接し、車外側から雨水や騒音等が進入することをシールすることができる。
【００７０】
次に、本発明の第４の実施の形態を図４に基づき説明する。
第４の実施の形態は、第１の形態と同じくリヤトランクに装着され、トランクリッドの裏面に当接してシールするウエザストリップ１０である。
第４の実施の形態は、第１の実施の形態と比べて、第１車外側フランジ保持リップ２４と対向する第１車内側フランジ保持リップ２６の先端は、第１車外側フランジ保持リップ２４の先端が第１車内側フランジ保持リップ２６の先端よりもトリム部２０の開口側に形成される点は同じであるが、相互に近接して形成されている点と第３の実施の形態と同様に車外側止水リップ２４ａがある点が異なり、他の部分は同様であるため、同じ部分の説明は省略し、異なる部分について説明する。
【００７１】
即ち、第１車外側フランジ保持リップ２４の先端と第１車内側フランジ保持リップ２６の先端とはラ相互に近接して形成されている。このため、例えば、上記第１の実施の形態のように、第１車外側フランジ保持リップ２４と第１車内側フランジ保持リップ２６の先端が上下方向に所定間隔を有して重ねあわされて形成されている場合において、トリム部２０の内部にフランジ７を挿入するときには、第１車外側フランジ保持リップ２４の表面をフランジ１の先端が摺動し、その後、第１車内側フランジ保持リップ２６の下面にフランジ７の先端が引っかかるようなことがあったが、本第４の実施の形態では、フランジ７の先端が摺動しても、その先に引っかかるものがないので、第１車外側フランジ保持リップ２４の先端と第１車内側フランジ保持リップ２６の先端との間にフランジ７の先端を挿入しやすい。また、フランジ７の挿入後には、フランジ７の付根部分を両側からほぼ同じ位置で挟持できるので、トリム部２０が倒れることがない。
【００７２】
さらに、第２車外側フランジ保持リップ２５は、第１車外側フランジ保持リップ２４よりも車外側側壁２１に対して角度が小さく形成されるとともに、第２車外側フランジ保持リップ２５と対向する第２車内側フランジ保持リップ２７は、第１車内側フランジ保持リップ２６よりも車内側側壁２２に対して角度が小さく形成されている。このため、トリム部２０からフランジ７が抜け出るときに、第２車外側フランジ保持リップ２５の先端と第２車内側フランジ保持リップ２７の先端がフランジ７の側面に対して密接して、さらに、フランジ７が抜け出ると、保持リップ２５、２７のそれぞれの先端が反転する量が多くなり、フランジ７の抜け力を大きくすることができる。
【００７３】
なお、第１フランジ保持リップ２４、２６と側壁２１、２２とのなす角度は、５５度〜６５度が好ましく、本実施の形態では、６０度である。また、第２フランジ保持リップ２５、２７と側壁２１、２２とのなす角度は、上記第１フランジ保持リップ２４、２６の角度よりも小さい角度の４０度〜５０度が好ましく、本実施の形態では４５度である。
なお、第４の実施の形態においても、側壁２１、２２は約８度傾けられているので、水着方向に対するリップの突出角度は、それぞれ６６度と５２度である。
【００７４】
第１の実施の形態と同様に、車外側側壁２１と底壁２３のなす角度が、９５度の角度をなすように形成し、車内側側壁２２と底壁２３のなす角度が、９５度の角度をなすように形成されている。そして、底壁２３と車外側側壁２１のコーナー部の外面の角部２１ｂ及び底壁２３と車内側側壁２２のコーナー部の外面の角部２２ｂでは、曲率半径が０．５ｍｍで形成されている。
【００７５】
さらに、第１の実施の形態と同様に、車外側側壁屈曲部２１ｃと車内側側壁屈曲部２２ｃが形成され、それぞれ約８度の角度で屈曲部２１ｃ、２２ｃよりも先端側の部分が内側に屈曲されている。さらに、車外側側壁２１と車内側側壁３０において、車外側側壁屈曲部２１ｃと車内側側壁屈曲部２２ｃよりもトリム部２０の開口側では車外側側壁２１と車内側側壁３０は中央が膨らんで肉厚に形成されている。このため、車内側側壁２２の先端である車内側側壁先端部２２ｄと、車外側側壁２１の先端である車外側側壁先端部２１ｄとの間隔は狭まって形成され、フランジ７を挟持する力も増加する。
【００７６】
本発明のウエザストリップ１０の成形においては、合成ゴム、熱可塑性エラストマーが使用され、例えば合成ゴムでは、ＥＰＤＭゴム、熱可塑性エラストマーでは、ポリオレフィン系エラストマー等を使用することができる。ＥＰＤＭゴム、オレフィン系熱可塑性エラストマーを使用した場合は、同じ種類の材料を使用して同時押出成形ができ、耐候性のよい製品を得ることができる。また、同じオレフィン系樹脂・ゴムのため分離せずにリサイクル使用ができ、リサイクル容易な製品を得ることができる。
【００７７】
ウエザストリップ１０の直線部分は押出成形機で成形され、その後、所定の長さに切断されて、製造される。コーナー部に装着される部分は、型成形で形成され、その直線部分を型成形により同時に接続する。
合成ゴムの場合は、押出成形後に加硫槽に搬送されて、熱風や高周波等により加熱されて加硫が行われる。熱可塑性エラストマーの場合は、冷却され固化される。  
【符号の説明】
【００７８】
６  車体開口部周縁
７  フランジ
１０  ウエザストリップ
２０  トリム部
２１  車外側側壁
２２  車内側側壁
２３  底壁
２４  第１車外側フランジ保持リップ
２５  第２車外側フランジ保持リップ
２６  第１車内側フランジ保持リップ
２７  第２車内側フランジ保持リップ
４０  中空シール部
【図１】
2010254270.tif 000003
【図２】
2010254270.tif 000004
【図３】
2010254270.tif 000005
【図４】
2010254270.tif 000006
【図５】
2010254270.tif 000007
【図６】
2010254270.tif 000008
【図７】
2010254270.tif 000009
【図８】
2010254270.tif 000010